(57)【特許請求の範囲】
【請求項１】
外部装置からの情報を表示する表示システムに含まれる受像機を監視する受像機監視装置であって、
前記外部装置からの情報に基づいて各受像機に設定するチャンネルを決定するチャンネル決定部と、
前記各受像機に対して、当該受像機に設定されているチャンネルを問い合わせるためのチャンネル問い合わせ信号を送信するチャンネル問い合わせ部と、
前記チャンネル問い合わせ信号に対する応答信号として前記各受像機から送信されたチャンネルを記憶するチャンネル記憶部と、
前記チャンネル決定部により決定された前記各受像機のチャンネルと、前記チャンネル記憶部に記憶されている前記各受像機のチャンネルとを比較し、受像機に設定されているチャンネルの異常を検出するチャンネル異常検出部と、
受像機の異常を通知する異常通知部とを備え、
前記チャンネル異常検出部が前記異常を検出した場合に、前記異常通知部は受像機の設定チャンネル異常を通知する、
ことを特徴とする受像機監視装置。
【請求項２】
前記チャンネル異常検出部が前記異常を検出した場合に、当該異常が検出された受像機に対して、当該受像機に設定されているチャンネルを正常なチャンネルに変更するためのチャンネル変更指示信号を送信するチャンネル変更指示部を更に備える、
ことを特徴とする請求項１記載の受像機監視装置。
【請求項３】
表示異常を検出した受像機からの表示異常検出信号を受信した場合に、前記異常通知部は受像機の表示異常を通知する、
ことを特徴とする請求項１又は２記載の受像機監視装置。
【請求項４】
外部装置からの情報を表示する表示システムに含まれる受像機であって、
当該受像機に設定されるチャンネルを記憶するチャンネル記憶部と、
バックライト駆動時の電流値を検出するバックライト電流検出部と、
バックライト正常駆動時の電流値の基準範囲を記憶するバックライト基準範囲記憶部と、
前記バックライト電流検出部により検出された電流値と、前記バックライト基準範囲記憶部に記憶されている基準範囲とを比較し、前記バックライトの異常を検出するバックライト異常検出部とを備え、
当該受像機を監視する受像機監視装置からのチャンネル問い合わせ信号を受信した場合に、前記チャンネル記憶部に記憶されているチャンネルを、前記チャンネル問い合わせ信号に対する応答信号として前記受像機監視装置へ送信し、
前記バックライト異常検出部は、前記異常を検出した場合に、表示異常検出信号を前記受像機監視装置へ送信する、
ことを特徴とする受像機。
【請求項５】
前記受像機監視装置からのチャンネル変更指示信号を受信した場合に、前記チャンネル記憶部に記憶されているチャンネルを、前記チャンネル変更指示信号に応じたチャンネルに更新する、
ことを特徴とする請求項４記載の受像機。
【請求項６】
表示パネル駆動時の電流値を検出する表示パネル電流検出部と、
表示パネル正常駆動時の電流値の基準範囲を記憶する表示パネル基準範囲記憶部と、
前記表示パネル電流検出部により検出された電流値と、前記表示パネル基準範囲記憶部に記憶されている基準範囲とを比較し、前記表示パネルの異常を検出する表示パネル異常検出部とを備え、
前記表示パネル異常検出部は、前記異常を検出した場合に、表示異常検出信号を前記受像機監視装置へ送信する、
ことを特徴とする請求項４又は５記載の受像機。
【請求項７】
外部装置からの情報を表示する表示システムに含まれる受像機と、当該受像機を監視する受像機監視装置とを含む受像機監視システムであって、
前記受像機は、
当該受像機に設定されるチャンネルを記憶する第１のチャンネル記憶部を備え、
前記受像機監視装置は、
前記外部装置からの情報に基づいて各受像機に設定するチャンネルを決定するチャンネル決定部と、
前記各受像機に対して、当該受像機に設定されているチャンネルを問い合わせるためのチャンネル問い合わせ信号を送信するチャンネル問い合わせ部と、
前記チャンネル問い合わせ信号に対する応答信号として前記各受像機から送信されたチャンネルを記憶する第２のチャンネル記憶部と、
前記チャンネル決定部により決定された前記各受像機のチャンネルと、前記第２のチャンネル記憶部に記憶されている前記各受像機のチャンネルとを比較し、受像機に設定されているチャンネルの異常を検出するチャンネル異常検出部と、
受像機の異常を通知する異常通知部とを備え、
前記受像機では、前記受像機監視装置からのチャンネル問い合わせ信号を受信した場合に、前記第１のチャンネル記憶部に記憶されているチャンネルを、前記チャンネル問い合わせ信号に対する応答信号として前記受像機監視装置へ送信し、
前記受像機監視装置では、前記チャンネル異常検出部が前記異常を検出した場合に、前記異常通知部が受像機の設定チャンネル異常を通知する、
ことを特徴とする受像機監視システム。
【請求項８】
前記受像機監視装置は、
前記チャンネル異常検出部が前記異常を検出した場合に、当該異常が検出された受像機に対して、当該受像機に設定されているチャンネルを正常なチャンネルに変更するためのチャンネル変更指示信号を送信するチャンネル変更指示部を更に備える、
ことを特徴とする請求項７記載の受像機監視システム。
【請求項９】
外部装置からの情報を表示する表示システムに含まれる受像機を監視する受像機監視方法であって、
受像機を監視する受像機監視装置は、
前記外部装置からの情報に基づいて各受像機に設定するチャンネルを決定し、
前記各受像機に対して、当該受像機に設定されているチャンネルを問い合わせるためのチャンネル問い合わせ信号を送信し、
前記問い合わせ信号を受信した受像機は、
当該受像機に設定されているチャンネルを、前記問い合わせ信号に対する応答信号として前記受像機監視装置へ送信し、
前記受像機監視装置は、
前記外部装置からの情報に基づいて決定した前記各受像機のチャンネルと、前記各受像機から送信されたチャンネルとを比較して、受像機に設定されているチャンネルの異常を検出し、
前記異常を検出した場合には、受像機の設定チャンネル異常を通知する、
ことを特徴とする受像機監視方法。
【請求項１０】
前記受像機監視装置は、
前記異常を検出した場合には、更に、当該異常が検出された受像機に対して、当該受像機に設定されているチャンネルを正常なチャンネルに変更するためのチャンネル変更指示信号を送信する、
ことを特徴とする請求項９記載の受像機監視方法。
【発明の詳細な説明】
【技術分野】
【０００１】
本発明は、競馬、競輪、競艇、オートレース等の公営競技での投票券の発売と払戻に関する業務をコンピュータで処理するトータリゼータシステムからの情報等を表示する表示システムに含まれる受像機を監視する技術に関する。
【背景技術】
【０００２】
競馬、競輪、競艇、オートレース等の公営競技場では、トータリゼータシステムからのオッズ情報等を表示する表示システムが導入されている。このシステムでは、モニターやテレビ等の受像機が場内各所に設置され、レースに関する多種多様な情報を表示している。但し、受像機の表示内容は、受像機毎あるいは複数の受像機毎に、異なるように処理が行われている。その理由は、例えば、１つの受像機では全ての情報を表示することが時間的に困難であるからである。また、例えば、東京競馬場でレースを開催している場合、当該レースの情報を中心に表示しているが、全ての来場者が当該レースのオッズ情報のみを見たい訳ではなく、その後のレースや他場（京都競馬場や札幌競馬場等）でのレースの情報を知りたい来場者もいれば、Ｇ１レース等の場合の前売りオッズやレース結果の情報を見たい来場者もいるからである。従って、１つの発売場内では、様々な情報を表示する受像機が多数設置されている。
【０００３】
なお、表示装置に関しては、次のような技術が知られている。
例えば、複数表示ユニットから構成される表示装置における表示異常を自動的にリカバリする技術が知られている（特許文献１参照）。
【０００４】
また、例えば、表示装置の表示画面上に生じた表示異常を自動的に検出し、表示異常に自動的に対処する技術が知られている（特許文献２参照）。
さらに、例えば、表示装置において、補助光源を構成する個々の照明体に異常が発生したときに、表示パネル全体の視聴輝度が均一となるように制御する技術が知られている（特許文献３参照）。
【先行技術文献】
【特許文献】
【０００５】
【特許文献１】特開平９−３４３９４号公報
【特許文献２】特開２００１−４１８５２号公報
【特許文献３】特開２００９−２９４５０６号公報
【発明の概要】
【発明が解決しようとする課題】
【０００６】
ところで、上述の公営競技場に導入された表示システムにおいては、次のような受像機の異常が生じ得る。
一つは、受像機の表示異常である。これは、例えば、受像機におけるモニター部の故障により生じるものであり、バックライトの不点灯により表示が消えたり、表示パネルの不作動により表示が行われなくなったりする場合がある。
【０００７】
もう一つは、受像機の設定チャンネル異常である。上述の表示システムでは、映像送出装置から送出される複数のチャンネルの番組映像を各受像機が受信し、予め設定されているチャンネルの番組映像を各受像機が表示するように、処理が行われている。そのため、各受像機では、予め、表示する番組映像のチャンネルを設定しておく必要がある。通常、各受像機は、設置場所に応じて所定のチャンネルが設定されている。しかしながら、各受像機は、家庭用のテレビと同様にリモコン（リモートコントローラ）によりチャンネルの設定を行うことができることから、例えば、リモコン機能を搭載した携帯電話器やＰＤＡ（Personal Digital Assistant）等の機器を来場者が所有していた場合に、その機器の誤操作又は故意の操作等により、そのリモコン機能が作動し、受像機に設定されているチャンネルが変更されてしまう場合がある。
【０００８】
このような受像機の異常が生じた場合に、システム管理者は、来場者からの通報あるいは公営競技場関係者からの連絡等が無い限り、それを知ることができない。そのため、保守員等が定期的に場内各所に設置された受像機へ出向いて各受像機を確認する必要があり、それに伴う作業負担は大きい。
【０００９】
本発明は、上記実情に鑑み、受像機の異常を自動で検出し通知することができる、受像機監視装置、受像機、受像機監視システム、及び受像機監視方法を提供することを目的とする。
【課題を解決するための手段】
【００１０】
装置の一観点によれば、外部装置からの情報を表示する表示システムに含まれる受像機を監視する受像機監視装置であって、外部装置からの情報に基づいて各受像機に設定するチャンネルを決定するチャンネル決定部と、各受像機に対して、当該受像機に設定されているチャンネルを問い合わせるためのチャンネル問い合わせ信号を送信するチャンネル問い合わせ部と、チャンネル問い合わせ信号に対する応答信号として各受像機から送信されたチャンネルを記憶するチャンネル記憶部と、チャンネル決定部により決定された各受像機のチャンネルと、チャンネル記憶部に記憶されている各受像機のチャンネルとを比較し、受像機に設定されているチャンネルの異常を検出するチャンネル異常検出部と、受像機の異常を通知する異常通知部とを備え、チャンネル異常検出部が異常を検出した場合に、異常通知部は受像機の設定チャンネル異常を通知する。
【００１１】
装置の他の一観点によれば、外部装置からの情報を表示する表示システムに含まれる受像機であって、当該受像機に設定されるチャンネルを記憶するチャンネル記憶部と、バックライト駆動時の電流値を検出するバックライト電流検出部と、バックライト正常駆動時の電流値の基準範囲を記憶するバックライト基準範囲記憶部と、バックライト電流検出部により検出された電流値と、バックライト基準範囲記憶部に記憶されている基準範囲とを比較し、バックライトの異常を検出するバックライト異常検出部とを備え、当該受像機を監視する受像機監視装置からのチャンネル問い合わせ信号を受信した場合に、チャンネル記憶部に記憶されているチャンネルを、チャンネル問い合わせ信号に対する応答信号として受像機監視装置へ送信し、バックライト異常検出部は、異常を検出した場合に、表示異常検出信号を受像機監視装置へ送信する。
【００１２】
システムの一観点によれば、外部装置からの情報を表示する表示システムに含まれる受像機と、当該受像機を監視する受像機監視装置とを含む受像機監視システムであって、受像機は、当該受像機に設定されるチャンネルを記憶する第１のチャンネル記憶部を備え、受像機監視装置は、外部装置からの情報に基づいて各受像機に設定するチャンネルを決定するチャンネル決定部と、各受像機に対して、当該受像機に設定されているチャンネルを問い合わせるためのチャンネル問い合わせ信号を送信するチャンネル問い合わせ部と、チャンネル問い合わせ信号に対する応答信号として各受像機から送信されたチャンネルを記憶する第２のチャンネル記憶部と、チャンネル決定部により決定された各受像機のチャンネルと、第２のチャンネル記憶部に記憶されている各受像機のチャンネルとを比較し、受像機に設定されているチャンネルの異常を検出するチャンネル異常検出部と、受像機の異常を通知する異常通知部とを備え、受像機では、受像機監視装置からのチャンネル問い合わせ信号を受信した場合に、第１のチャンネル記憶部に記憶されているチャンネルを、チャンネル問い合わせ信号に対する応答信号として受像機監視装置へ送信し、受像機監視装置では、チャンネル異常検出部が異常を検出した場合に、異常通知部が受像機の設定チャンネル異常を通知する。
【００１３】
方法の一観点によれば、外部装置からの情報を表示する表示システムに含まれる受像機を監視する受像機監視方法であって、受像機を監視する受像機監視装置は、外部装置からの情報に基づいて各受像機に設定するチャンネルを決定し、各受像機に対して、当該受像機に設定されているチャンネルを問い合わせるためのチャンネル問い合わせ信号を送信し、問い合わせ信号を受信した受像機は、当該受像機に設定されているチャンネルを、問い合わせ信号に対する応答信号として受像機監視装置へ送信し、受像機監視装置は、外部装置からの情報に基づいて決定した各受像機のチャンネルと、各受像機から送信されたチャンネルとを比較して、受像機に設定されているチャンネルの異常を検出し、異常を検出した場合には、受像機の設定チャンネル異常を通知する。
【発明の効果】
【００１４】
開示の装置、システム、及び方法は、受像機の異常を自動で検出し通知することができる、という効果を奏する。
【図面の簡単な説明】
【００１５】
【図１】一実施例に係る受像機監視システムを含む表示システムの構成例を示す図である。
【図２】映像信号生成部が運用情報に基づいて複数のチャンネルの映像信号を生成したときの各チャンネルの番組名の一例を示す図である。
【図３】受像機監視装置の構成例を詳細に示す図である。
【図４】受像機の構成例を詳細に示す図である。
【図５】受像機の設定チャンネル異常を検出するときの受像機監視装置の動作の一例を示すフローチャートである。
【図６】Ｓ１０６において、運用情報受信部が受信した運用情報の一例を示す図である。
【図７】Ｓ１０８において、チャンネルパターン表データ保存部に記憶されている複数のチャンネルパターン表のデータの一例を示す図である。
【図８】Ｓ１０８において、チャンネルパターン表選択部が選択したチャンネルパターン表のデータの一例を示す図である。
【図９】Ｓ１０９において、設定チャンネルデータ保存部に記憶されている各受像機のチャンネルのデータの一例を示す図である。
【図１０】Ｓ１１０において、チャンネル異常検出部が行う比較の一例を模式的に示す図である。
【図１１】Ｓ１１２において、チャンネル異常検出部からチャンネル変更指示部へ送信された異常通知信号に含まれるデータの一例を示す図である。
【図１２】Ｓ１１２において、設定チャンネル異常通知部の図示しない表示部に表示される、受像機の設定チャンネル異常をシステム管理者等に通知する表示画面の一例を示す図である。
【図１３】チャンネル問い合わせ信号を受信したときの受像機の動作の一例を示すフローチャートである。
【図１４】チャンネル変更指示信号を受信したときの受像機の動作の一例を示すフローチャートである。
【図１５】表示異常を検出するときの受像機の動作の一例を示すフローチャートである。
【図１６】受像機からの表示異常検出信号を受信した表示異常通知部の図示しない表示部に表示される、受像機の表示異常をシステム管理者等に通知する表示画面の一例を示す図である。
【発明を実施するための形態】
【００１６】
以下、図面を参照しながら本発明の実施の形態を説明する。
図１は、一実施例に係る受像機監視システムを含む表示システムの構成例を示す図である。
【００１７】
なお、以下の説明では、この表示システムが競馬場に導入されているものとするが、この表示システムを例えば競輪、競艇、オートレース等の他の公営競技場に導入することも勿論可能である。
【００１８】
図１に示した表示システムは、映像送出装置１００と、複数の受像機２００（＃００１、＃００２、＃００３・・・＃Ｎ）と、その複数の受像機２００に対して設けられた信号処理部３００及びネットワーク機器４００とを含む。
【００１９】
映像送出装置１００は、外部システムであるトータリゼータシステムのホストコンピュータ（以下単に「トータリゼータホスト」という）５００と接続されている。なお、トータリゼータシステムは、外部装置の一例である。また、映像送出装置１００は、映像信号配線網６００を介して信号処理部３００と接続されていると共に、制御信号配線網７００を介してネットワーク機器４００と接続されている。ここで、映像信号配線網６００は、例えば同軸ケーブル等によって構成された配線網である。また、制御信号配線網７００は、例えばＬＡＮ（Local Area Network）等の通信ネットワークである。
【００２０】
各受像機２００は、信号処理部３００と接続されると共にネットワーク機器４００と接続されている。
なお、図１に示した表示システムにおいては、トータリゼータシステムを当該表示システムの一部とすることも可能である。
【００２１】
また、図１に示した表示システムにおいては、複数の受像機２００と信号処理部３００とネットワーク機器４００とからなるセットを複数含むように構成することも可能である。この場合は、各セットにおいて、信号処理部３００が映像信号配線網６００に接続されると共にネットワーク機器４００が制御信号配線網７００に接続される。又は、各受像機２００が信号処理部３００を含む構成とすることも可能である。この場合、各受像機２００において、信号処理部３００が映像信号配線網６００に接続される。或いは、各受像機２００が信号処理部３００及びネットワーク機器４００を含む構成とすることも可能である。この場合、各受像機２００において、信号処理部３００が映像信号配線網６００に接続されると共にネットワーク機器４００が制御信号配線網７００に接続される。若しくは、これらの構成を組み合わせた構成とすることも可能である。すなわち、複数の受像機２００と信号処理部３００とネットワーク機器４００とからなるセットを一つ以上含む構成と、信号処理部３００を含む受像機２００を一つ以上含む構成と、信号処理部３００及びネットワーク機器４００を含む受像機２００を一つ以上含む構成の、いずれか一つ以上の構成を含むようにすることも可能である。
【００２２】
図１に示した表示システムにおいて、映像送出装置１００は、映像信号生成部１１０と、信号処理部１２０と、受像機監視装置１３０と、ネットワーク機器１４０とを含む。
映像信号生成部１１０は、トータリゼータホスト５００から入力される運用情報に基づいて複数のチャンネルの映像信号を生成する等の処理を行う。信号処理部１２０は、映像信号生成部１１０により生成された複数のチャンネルの映像信号を混合する混合器と、その混合信号を変調する変調器とを含み、その変調信号を映像信号配線網６００へ出力する等の処理を行う。受像機監視装置１３０は、詳しくは後述するように、トータリゼータホスト５００から入力される運用情報と、各受像機２００から送信される制御信号等に基づいて、各受像機２００を監視する等の処理を行う。ネットワーク機器１４０は、受像機監視装置１３０から各受像機２００への制御信号や各受像機２００から受像機監視装置１３０への制御信号の中継等の処理を行う。なお、ネットワーク機器１４０は、例えばルーターである。
【００２３】
信号処理部３００は、映像信号配線網６００から入力される変調信号を復調する復調器と、その復調信号を複数のチャンネルの映像信号に分波する分波器とを含み、その複数のチャンネルの映像信号を各受像機２００へ出力する等の処理を行う。
【００２４】
ネットワーク機器４００は、ネットワーク機器１４０と同様に、受像機監視装置１３０から各受像機２００への制御信号や各受像機２００から受像機監視装置１３０への制御信号の中継等の処理を行う。なお、ネットワーク機器４００は、例えばルーターである。
【００２５】
各受像機２００は、チューナー部２１０とモニター部２２０とを含む。チューナー部２１０は、信号処理部３００から入力される複数のチャンネルの映像信号の中から、予め設定されているチャンネルの映像信号をモニター部２２０へ出力する等の処理を行う。モニター部２２０は、チューナー部２１０から入力される映像信号に応じた映像を表示する等の処理を行う。また、各受像機２００は、詳しくは後述するように、受像機監視装置１３０との間での制御信号の送受や、受像機監視装置１３０から送信される制御信号に応じた処理等も行う。
【００２６】
図２は、映像信号生成部１１０が運用情報に基づいて複数のチャンネルの映像信号を生成したときの各チャンネルの番組名の一例を示す図である。
図２に示した例では、運用情報に基づいて「１ＣＨ」〜「２０ＣＨ」の２０個のチャンネルの映像信号が生成されたときの各チャンネルの番組名を示している。図２に示した例によれば、例えば、受像機２００に予め設定されているチャンネルが「５ＣＨ」である場合、その受像機２００には、番組名「他場（京都）メインレース出走馬情報」に関する映像が表示されるようになる。
【００２７】
図３は、受像機監視装置１３０の構成例を詳細に示す図である。
図３に示したように、受像機監視装置１３０は、チャンネル決定部１３１と、チャンネル異常検出処理部１３２と、受像機異常通知部１３３と、信号入出力部１３４と、制御部１３５とを含む。
【００２８】
チャンネル決定部１３１は、トータリゼータホスト５００からの運用情報に基づいて、各受像機２００に設定するチャンネルを決定する等の処理を行う。チャンネル決定部１３１は、運用情報受信部１３１ａと、チャンネルパターン情報抽出部１３１ｂと、チャンネルパターン表データ保存部１３１ｃと、チャンネルパターン表選択部１３１ｄとを含む。
【００２９】
運用情報受信部１３１ａは、トータリゼータホスト５００からの運用情報を受信する。
チャンネルパターン情報抽出部１３１ｂは、運用情報受信部１３１ａが受信した運用情報を解析し、その運用情報からチャンネルパターン情報を抽出する。
【００３０】
チャンネルパターン表データ保存部１３１ｃは、予め生成されている複数のチャンネルパターン表のデータを記憶する。なお、複数のチャンネルパターン表は、運用パターン毎に、各受像機２００に設定するチャンネルを示したものである。運用パターンとしては、例えば、Ｇ１レース開催用の運用パターンや、場外発売用の運用パターン等がある。
【００３１】
チャンネルパターン表選択部１３１ｄは、チャンネルパターン表データ保存部１３１ｃに記憶されている複数のチャンネルパターン表のデータの中から、チャンネルパターン情報抽出部１３１ｂが抽出したチャンネルパターン情報に応じたチャンネルパターン表のデータ、或いは、システム管理者等が選択指示したチャンネルパターン表のデータを選択する。そして、選択したチャンネルパターン表のデータから、各受像機２００のチャンネルのデータを抽出する。なお、ここで抽出される各受像機２００のチャンネルは、チャンネル決定部１３１が決定した各受像機２００のチャンネルでもある。
【００３２】
チャンネル異常検出処理部１３２は、受像機２００に設定されているチャンネルの異常を検出する等の処理を行う。チャンネル異常検出処理部１３２は、チャンネル問い合わせ部１３２ａと、決定チャンネルデータ保存部１３２ｂと、設定チャンネルデータ保存部１３２ｃと、チャンネル異常検出部１３２ｄと、チャンネル変更指示部１３２ｅとを含む。なお、設定チャンネルデータ保存部１３２ｃは、チャンネル記憶部の一例であると共に、第２のチャンネル記憶部の一例でもある。
【００３３】
チャンネル問い合わせ部１３２ａは、各受像機２００に対して、当該受像機２００に設定されているチャンネルを問い合わせるための信号（以下「チャンネル問い合わせ信号」ともいう）を送信する。なお、チャンネル問い合わせ部１３２ａは、その問い合わせ信号を、例えば、所定時間毎に、或いは、決定チャンネルデータ保存部１３２ｂに各受像機２００のチャンネルのデータが新たに記憶されたとき等に送信する。また、チャンネル問い合わせ部１３２ａは、図示しない表示部を備え、各受像機２００に設定されているチャンネルが正常であることをチャンネル異常検出部１３２ｄが検出したときに、その旨を、その表示部に表示することもできる。
【００３４】
決定チャンネルデータ保存部１３２ｂは、チャンネルパターン表選択部１３１ｄが抽出した各受像機２００のチャンネルのデータを記憶する。
設定チャンネルデータ保存部１３２ｃは、各受像機２００に設定されているチャンネルのデータを記憶する。なお、このデータは、チャンネル問い合わせ部１３２ａから各受像機２００へ送信されたチャンネル問い合わせ信号に対する応答信号として各受像機２００から送信されたチャンネルのデータである。
【００３５】
チャンネル異常検出部１３２ｄは、決定チャンネルデータ保存部１３２ｂに記憶されている各受像機２００のチャンネルのデータと、設定チャンネルデータ保存部１３２ｃに記憶されている各受像機２００のチャンネルのデータとを比較し、受像機２００に設定されているチャンネルが正常であるか異常であるかを検出する。
【００３６】
チャンネル変更指示部１３２ｅは、チャンネル異常検出部１３２ｄが異常を検出した場合に、その異常が検出されたチャンネルが設定されている受像機２００に対し、当該受像機２００に設定されているチャンネルを正常なチャンネルに変更するための指示信号（以下「チャンネル変更指示信号」ともいう）を送信する。なお、チャンネル変更指示信号には、その正常なチャンネルのデータが含まれる。
【００３７】
受像機異常通知部１３３は、受像機２００の異常を通知する等の処理を行う。受像機異常通知部１３３は、設定チャンネル異常通知部１３３ａと表示異常通知部１３３ｂとを含む。
【００３８】
設定チャンネル異常通知部１３３ａは、チャンネル異常検出部１３２ｄが異常を検出した場合に、受像機２００の設定チャンネル異常をシステム管理者等に通知する。この通知では、例えば、チャンネル異常検出部１３２ｄが異常を検出したチャンネルが設定されている受像機２００の情報等が通知される。
【００３９】
表示異常通知部１３３ｂは、表示異常を検出した受像機２００からの表示異常検出信号を受信した場合に、受像機２００の表示異常をシステム管理者等に通知する。この通知では、例えば、表示異常を検出した受像機２００の情報等が通知される。
【００４０】
なお、設定チャンネル異常通知部１３３ａ及び表示異常通知部１３３ｂにおいて、システム管理者等への通知方法としては、例えば、表示等の視覚的な通知や、音声等の聴覚的な通知等がある。例えば、表示等の視覚的な通知は、設定チャンネル異常通知部１３３ａと表示異常通知部１３３ｂの各々の図示しない表示部によって行われる。
【００４１】
信号入出力部１３４は、ネットワーク機器１４０等を介して受像機２００との間で送受される制御信号の入出力を管理する。
なお、チャンネル問い合わせ部１３２ａから各受像機２００へ送信されるチャンネル問い合わせ信号（図３の矢印（ａ）及び両矢印（ｂ）参照）や、各受像機２００から設定チャンネルデータ保存部１３２ｃへ送信されるデータ（図３の両矢印（ｂ）及び矢印（ｃ）参照）や、チャンネル異常検出部１３２ｄから設定チャンネル異常の受像機２００へ送信されるチャンネル変更指示信号（図３の矢印（ｄ）及び（ｅ）参照）や、表示異常を検出した受像機２００から表示異常通知部１３３ｂへ送信される表示異常検出信号（図３の矢印（ｆ）及び（ｇ）参照）は、制御信号の一例である。
制御部１３５は、受像機監視装置１３０の全体の動作を制御する。
【００４２】
図４は、各受像機２００の構成例を詳細に示す図である。
なお、図４では、各受像機２００が同一構成を有することから、代表して＃００１の受像機２００のみを示す。
【００４３】
図４に示したように、受像機２００は、チューナー部２１０と、モニター部２２０と、信号入出力部２３０とを含む。
チューナー部２１０は、設定チャンネルデータ保存部２１１と、チューナー機能部２１２と、制御部２１３とを含む。なお、設定チャンネルデータ保存部２１１は、チャンネル記憶部の一例であると共に、第１のチャンネル記憶部の一例でもある。
【００４４】
設定チャンネルデータ保存部２１１は、当該受像機２００に設定されるチャンネルのデータを記憶する。
チューナー機能部２１２は、チャンネル設定部２１２ａを含む。チャンネル設定部２１２ａは、制御部２１３の制御の下、設定チャンネルデータ保存部２１１に記憶されているチャンネルを、モニター部２２０へ出力する映像信号のチャンネルとして設定する。これにより、チューナー機能部２１２では、信号処理部３００から入力される複数のチャンネルの映像信号の中から、チャンネル設定部２１２ａにより設定されたチャンネルに応じた映像信号がモニター部２２０へ出力されるようになる。
【００４５】
制御部２１３は、チューナー部２１０の全体動作を制御する。また、制御部２１３は、受像機監視装置１３０からの制御信号に応じて、設定チャンネルデータ保存部２１１に対して、データの書き込みやデータの読み出し等も行う。例えば、受像機監視装置１３０からのチャンネル問い合わせ信号に対して、設定チャンネルデータ保存部２１１からチャンネルのデータを読み出し（図４の矢印（ａ）参照）、それを応答信号として受像機監視装置１３０へ送信する等の処理を行う。また、例えば、受像機監視装置１３０からのチャンネル変更指示信号に対して、その指示信号に含まれるチャンネルのデータを設定チャンネルデータ保存部２１１へ書き込む（図４の矢印（ｂ）参照）等の処理を行う。すなわち、設定チャンネルデータ保存部２１１に記憶されているチャンネルのデータを、チャンネル変更指示信号に応じたチャンネルのデータに更新する等の処理を行う。
【００４６】
モニター部２２０は、バックライト２２１と、表示パネル２２２と、バックライト用基準データ保存部２２３と、表示パネル用基準データ保存部２２４と、駆動回路２２５と、バックライト電流検出部２２６と、表示パネル電流検出部２２７と、表示異常検出部２２８と、制御部２２９を含む。なお、バックライト用基準データ保存部２２３は、バックライト基準範囲記憶部の一例であり、表示パネル用基準データ保存部２２４は、表示パネル基準範囲記憶部の一例である。また、表示異常検出部２２８は、バックライト異常検出部の一例であると共に、表示パネル異常検出部の一例でもある。
【００４７】
バックライト２２１は、表示パネル２２２を背面から照明する。
表示パネル２２２は、例えばＬＣＤ（Liquid Crystal Display）であり、チューナー機能部２１２から入力される映像信号に応じた映像を表示する。
【００４８】
バックライト用基準データ保存部２２３は、バックライト２２１の正常駆動時の電流値の基準範囲のデータを記憶する。
表示パネル用基準データ保存部２２４は、表示パネル２２２の正常駆動時の電流値の基準範囲のデータを記憶する。
【００４９】
駆動回路２２５は、バックライト２２１と表示パネル２２２を駆動する。
バックライト電流検出部２２６は、バックライト２２１の駆動時の電流値を検出する。
表示パネル電流検出部２２７は、表示パネル２２２の駆動時の電流値を検出する。
【００５０】
表示異常検出部２２８は、バックライト用基準データ保存部２２３に記憶されている電流値の基準範囲と、バックライト電流検出部２２６が検出した電流値とを比較し、バックライト２２１の駆動時の電流値が異常であるかを検出する。また、表示異常検出部２２８は、表示パネル用基準データ保存部２２４に記憶されている電流値の基準範囲と、表示パネル電流検出部２２７が検出した電流値とを比較し、表示パネル２２２の駆動時の電流値が異常であるかを検出する。そして、バックライト２２１又は表示パネル２２２の駆動時の電流値の異常を検出した場合に、表示異常検出信号を受像機監視装置１３０へ送信する。なお、表示異常検出信号には、例えば、バックライト２２１又は表示パネル２２２の駆動時の電流値が異常であることを通知する情報が含まれる。
【００５１】
制御部２２９は、モニター部２２０の全体動作を制御する。
信号入出力部２３０は、信号処理部３００から入力される複数のチャンネルの映像信号を受信してチューナー部２１０へ出力する。また、信号入出力部２３０は、ネットワーク機器４００等を介して受像機監視装置１３０との間で送受される制御信号の入出力を管理する。
【００５２】
なお、受像機監視装置１３０からチューナー部２１０の制御部２１３へ送信されるチャンネル問い合わせ信号（図４の両矢印（ｃ）及び（ｄ）参照）や、制御部２１３から受像機監視装置１３０へ送信されるチャンネルのデータ（図４の両矢印（ｄ）及び（ｃ）参照）や、受像機監視装置１３０から制御部２１３へ送信されるチャンネル変更指示信号（図４の矢印（ｅ）及び（ｆ）参照）や、モニター部２２０の表示異常検出部２２８から受像機監視装置１３０へ送信される表示異常検出信号（図４の矢印（ｇ）及び（ｈ）参照）は、制御信号の一例である。
【００５３】
また、受像機２００から受像機監視装置１３０へ送信される制御信号には、例えば、当該受像機２００を特定可能な情報（受像機ナンバー等）も含まれる。
次に、本実施例に係る受像機監視システムにおいて、受像機監視装置１３０及び各受像機２００が行う動作について詳細に説明する。
【００５４】
はじめに、受像機監視装置１３０が行う動作について説明する。
図５は、受像機２００の設定チャンネル異常を検出するときの受像機監視装置１３０の動作の一例を示すフローチャートである。
【００５５】
図５に示したように、本動作では、まず、システム管理者等が、例えば受像機監視装置１３０の図示しない入力部を介して、チャンネルパターン表の切替方式として自動切替方式又は手動切替方式を設定する（Ｓ１０１）。
【００５６】
制御部１３５は、Ｓ１０１で設定された切替方式が自動切替方式であるか否かを判定する（Ｓ１０２）。
Ｓ１０２の判定結果がＮｏである場合には、手動切替処理を開始する（Ｓ１０３）。手動切替処理では、システム管理者等が、例えば上記の入力部を介して、チャンネルパターン表データ保存部１３１ｃに記憶されている複数のチャンネルパターン表の中から手動で所望のチャンネルパターン表を選択指示する（Ｓ１０４）。
【００５７】
一方、Ｓ１０２の判定結果がＹｅｓの場合には、自動切替処理を開始する（Ｓ１０５）。自動切替処理では、まず、トータリゼータホスト５００からの運用情報を運用情報受信部１３１ａが受信し、その運用情報をチャンネルパターン情報抽出部１３１ｂが解析してチャンネルパターン情報を抽出する（Ｓ１０６）。制御部１３５は、そのチャンネルパターン情報から、チャンネルパターン表選択部１３１ｄが選択するチャンネルパターン表の変更が必要であるか否かを判定する（Ｓ１０７）。ここで、その判定結果がＮｏの場合には、処理がＳ１０５へ戻る。
【００５８】
一方、Ｓ１０７の判定結果がＹｅｓの場合、又は、Ｓ１０４の後は、チャンネルパターン表選択部１３１ｄがチャンネルパターン表を選択する等の処理を行う（Ｓ１０８）。具体的には、まず、チャンネルパターン表選択部１３１ｄは、チャンネルパターン表データ保存部１３１ｃに記憶されている複数のチャンネルパターン表のデータの中から、一つのチャンネルパターン表のデータを選択する。すなわち、Ｓ１０７の判定結果がＹｅｓの場合には、チャンネルパターン表選択部１３１ｄが、Ｓ１０６で抽出されたチャンネルパターン情報に応じたチャンネルパターン表のデータを選択する。一方、Ｓ１０４の後には、チャンネルパターン表選択部１３１ｄが、Ｓ１０４でシステム管理者等により選択指示されたチャンネルパターン表のデータを選択する。そして、チャンネルパターン表選択部１３１ｄは、選択したチャンネルパターン表のデータから、各受像機２００のチャンネルのデータを抽出し、それを決定チャンネルデータ保存部１３２ｂに記憶する。また、チャンネル問い合わせ部１３２ａは、各受像機２００のチャンネルのデータが新たに決定チャンネルデータ保存部１３２ｂに記憶されたことに伴い、各受像機２００に対してチャンネル問い合わせ信号を送信する。なお、チャンネル問い合わせ部１３２ａは、このタイミング以外にも、例えば所定時間毎に、各受像機２００に対してチャンネル問い合わせ信号を送信する。
【００５９】
そして、設定チャンネルデータ保存部１３２ｃは、その問い合わせ信号に対する応答信号として各受像機２００から送信されたチャンネルのデータを記憶する（Ｓ１０９）。これにより、設定チャンネルデータ保存部１３２ｃには、各受像機２００に設定されているチャンネルのデータが記憶される。
【００６０】
次に、チャンネル異常検出部１３２ｄは、決定チャンネルデータ保存部１３２ｂに記憶されている各受像機２００のチャンネルのデータと、設定チャンネルデータ保存部１３２ｃに記憶されている各受像機２００のチャンネルのデータとを比較し（Ｓ１１０）、同じ受像機２００の間で異なるチャンネルが有るか否か判定する（Ｓ１１１）。なお、決定チャンネルデータ保存部１３２ｂに記憶されている各受像機２００のチャンネルのデータは、各受像機２００に設定されるべき正常なチャンネルでもある。
【００６１】
Ｓ１１１の判定において、その判定結果がＮｏの場合、チャンネル異常検出部１３２ｄは、受像機２００に設定されているチャンネルが正常であることを検出して、チャンネル問い合わせ部１３２ａへ正常通知信号を送信し、処理がＳ１１０へ戻る。なお、その正常通知信号を受信したチャンネル問い合わせ部１３２ａは、各受像機２００に設定されているチャンネルが正常である旨を、内部の図示しない表示部に表示する。
【００６２】
一方、Ｓ１１１の判定結果がＹｅｓの場合、チャンネル異常検出部１３２ｄは、受像機２００に設定されているチャンネルが異常であることを検出して、警報発報処理を行う（Ｓ１１２）。具体的には、まず、設定チャンネル異常通知部１３３ａ及びチャンネル変更指示部１３２ｅへ異常通知信号を送信する。なお、チャンネル変更指示部１３２ｅへ送信される異常通知信号には、例えば、チャンネル異常検出部１３２ｄが異常を検出した受像機２００のナンバーと、その受像機２００に設定されるべき正常なチャンネル等のデータが含まれる。また、設定チャンネル異常通知部１３３ａへ送信される異常通知信号には、例えば、チャンネル異常検出部１３２ｄが異常を検出した受像機２００のナンバーと、その受像機２００に設定されている異常なチャンネルと、その受像機２００に設定されるべき正常なチャンネル等のデータが含まれる。そして、その異常通知信号を受信した設定チャンネル異常通知部１３３ａは、受像機２００の設定チャンネル異常を、例えば表示又は音声等により、システム管理者等に通知する。
【００６３】
また、異常通知信号を受信したチャンネル変更指示部１３２ｅは、チャンネル異常検出部１３２ｄが異常を検出した受像機２００に対してチャンネル変更指示信号を送信する（Ｓ１１３）。これにより、詳しくは後述するように、そのチャンネル変更指示信号を受信した受像機２００では、設定されている異常なチャンネルが正常なチャンネルに変更されるようになる。なお、ここでは、チャンネル変更指示信号を送信することにより、受像機２００に設定されているチャンネルが自動で変更されるものであるが、これを手動で行うことも勿論可能である。この場合は、Ｓ１１３の処理を行わずに、例えば、保守員等が、Ｓ１１２での通知に基づいて、設定チャンネル異常の受像機２００へ直接出向いて、手動でチャンネルを変更することが可能である。
【００６４】
そして、Ｓ１１３が終了すると、本動作が終了する。
なお、図５に示したフローチャートにおいて、例えば、Ｓ１１３の後に、処理がＳ１１０へ戻るようにすることも可能である。また、トータリゼータホスト５００から受信する運用情報が変更されたときには、処理がＳ１０５へ戻るようにすることも可能である。
【００６５】
続いて、上述の図５に示したフローチャートの動作で取り扱われる情報、データ、及び表示等の具体例を、図６乃至図１２を用いて説明する。
図６は、Ｓ１０６において、運用情報受信部１３１ａが受信した運用情報の一例を示す図である。
【００６６】
図６に示したように、運用情報は、各イベント情報に含まれる情報の種類毎に、チャンネルパターン情報として抽出される情報であるか否かを示す情報（抽出情報）と内容の情報を含む。図６に示した例では、チャンネルパターン情報として抽出される情報であるか否かを示す情報を「○」印の有無で示している。これにより、例えば、「開催場名」が「東京競馬場（本場）」、「レース番号」が「１１」、「グレード」が「ＪＰＮ１」等の情報が、チャンネルパターン情報としてチャンネルパターン情報抽出部１３１ｂにより抽出される。
【００６７】
図７は、Ｓ１０８において、チャンネルパターン表データ保存部１３１ｃに記憶されている複数のチャンネルパターン表のデータの一例を示す図である。
図７に示した例では、３つの運用パターン（チャンネルパターン１〜３）に対応する３つのチャンネルパターン表のデータを示しており、各チャンネルパターン表のデータには、＃００１〜＃００８の各受像機２００に設定されるチャンネルのデータが含まれていることを示している。
【００６８】
図８は、Ｓ１０８において、チャンネルパターン表選択部１３１ｄが選択したチャンネルパターン表のデータの一例を示す図である。
図８に示した例では、図７に示した複数のチャンネルパターン表のデータの中から、「チャンネルパターン２」のチャンネルパターン表のデータが選択されたことを示している。
【００６９】
図９は、Ｓ１０９において、設定チャンネルデータ保存部１３２ｃに記憶されている各受像機２００のチャンネルのデータの一例を示す図である。
図９に示した例では、＃００１〜＃００８の各受像機２００に設定されているチャンネルのデータを示している。
【００７０】
図１０は、Ｓ１１０において、チャンネル異常検出部１３２ｄが行う比較の一例を模式的に示す図である。
図１０に示した例では、チャンネル異常検出部１３２ｄにおいて、決定チャンネルデータ保存部１３２ｂに記憶されている＃００１〜＃００８の各受像機２００のチャンネルのデータ（図１０の（ａ）参照）と、設定チャンネルデータ保存部１３２ｃに記憶されている＃００１〜＃００８の各受像機２００のチャンネルのデータ（図１０の（ｂ）参照）とが比較された結果、＃００７及び＃００８の各受像機２００においてチャンネルが異なっていたことを示している。
【００７１】
図１１は、Ｓ１１２において、チャンネル異常検出部１３２ｄからチャンネル変更指示部１３２ｅへ送信された異常通知信号に含まれるデータの一例を示す図である。
図１１に示した例では、チャンネル異常検出部１３２ｄが異常を検出した受像機２００のナンバーとして「＃００７」及び「＃００８」と、＃００７の受像機２００に設定されるべき正常なチャンネルとして「１０ＣＨ」と、＃００８の受像機２００に設定されるべき正常なチャンネルとして「２０ＣＨ」のデータを示している。
【００７２】
図１２は、Ｓ１１２において、設定チャンネル異常通知部１３３ａの図示しない表示部に表示される、受像機２００の設定チャンネル異常をシステム管理者等に通知する表示画面の一例を示す図である。なお、上述の図７乃至図１０に示した例では、８個の受像機２００の例を示したが、ここでは６０個の受像機２００の例を示している。
【００７３】
図１２に示した例では、各受像機２００に設定されているチャンネルの状態が正常あるか又は異常であるかが一覧表示される。また、チャンネルの状態が異常な受像機２００に対しては、その受像機２００に設定されている異常なチャンネルと、その受像機２００に設定されるべき正常なチャンネルとが併せて表示される。図１２に示した例では、＃００７と＃００８の受像機２００が異常であり、その他の受像機２００が正常であることを示している。また、＃００７の受像機２００においては、設定されている異常なチャンネルが「７」で、設定されるべき正常なチャンネルが「１０」であることを示し、＃００８の受像機２００においては、設定されている異常なチャンネルが「８」で、設定されるべき正常なチャンネルが「２０」であることを示している。なお、図１２に示した例では、異常な受像機２００と正常な受像機２００とを色分けすることにより両者を区別可能に表示しているが、例えば、他の方法により両者を区別可能に表示することも可能である。
【００７４】
次に、各受像機２００が行う動作について説明する。
図１３は、チャンネル問い合わせ信号を受信したときの受像機２００の動作の一例を示すフローチャートである。
【００７５】
図１３に示したように、本動作では、チューナー部２１０の制御部２１３が受像機監視装置１３０からのチャンネル問い合わせ信号を受信すると（Ｓ２０１）、制御部２１３は、設定チャンネルデータ保存部２１１に記憶されているチャンネルのデータを読み出す（Ｓ２０２）。そして、制御部２１３は、その読み出しが成功したか否かを判定し（Ｓ２０３）、その判定結果がＮｏの場合には、Ｓ２０２へ処理が戻り、再び、その読み出しを行う。
【００７６】
一方、Ｓ２０３の判定結果がＹｅｓの場合、制御部２１３は、Ｓ２０２で読み出したチャンネルのデータを、Ｓ２０１で受信したチャンネル問い合わせ信号に対する応答信号として受像機監視装置１３０へ送信し（Ｓ２０４）、本動作が終了する。
【００７７】
なお、チャンネル問い合わせ信号は、例えば上述の図５のＳ１０８で受像機監視装置１３０から送信された信号である。また、Ｓ２０４で受像機監視装置１３０へ送信されたチャンネルのデータは、例えば上述の図５のＳ１０９で設定チャンネルデータ保存部１３２ｃに記憶されるデータである。
【００７８】
図１４は、チャンネル変更指示信号を受信したときの受像機２００の動作の一例を示すフローチャートである。
図１４に示したように、本動作では、チューナー部２１０の制御部２１３が受像機監視装置１３０からのチャンネル変更指示信号を受信すると（Ｓ３０１）、制御部２１３は、チャンネル変更指示信号に含まれるチャンネルのデータを、設定チャンネルデータ保存部２１１へ書き込む（Ｓ３０２）。そして、制御部２１３は、その書き込みが成功したか否かを判定し（Ｓ３０３）、その判定結果がＮｏの場合には、Ｓ３０２へ処理が戻り、再び、その書き込みを行う。
【００７９】
一方、Ｓ３０３の判定結果がＹｅｓの場合、制御部２１３は、チャンネル切替処理を行う（Ｓ３０４）。具体的には、チャンネル設定部２１２ａに設定されているチャンネルを、Ｓ３０２で設定チャンネルデータ保存部２１１に書き込まれたデータであるチャンネルへ変更するように、制御部２１３がチャンネル設定部２１２ａに指示を行う。この指示を受けたチャンネル設定部２１２ａは、例えば、内部の図示しないメモリに記憶されているチャンネルのデータを、Ｓ３０２で設定チャンネルデータ保存部２１１に書き込まれたチャンネルのデータへ書き換える。これにより、正常なチャンネルがチャンネル設定部２１２ａに設定され、その正常なチャンネルの映像信号がモニター部２２０へ出力されるようになる。
【００８０】
Ｓ３０４が終了すると、制御部２１３は、チャンネル切替処理が成功したことを通知するチャンネル切替成功通知信号を受像機監視装置１３０へ送信し（Ｓ３０５）、本動作が終了する。
なお、チャンネル変更指示信号は、例えば上述の図５のＳ１１３で受像機監視装置１３０から送信された信号である。
【００８１】
図１５は、表示異常を検出するときの受像機２００の動作の一例を示すフローチャートである。
図１５に示したように、本動作では、まず、モニター部２２０の制御部２２９が、当該モニター部２２０の電源が投入されているか否かを判定する（Ｓ４０１）。ここで、その判定結果がＮｏの場合には、当該判定の結果がＹｅｓになるまで、当該判定を繰り返す。
【００８２】
一方、Ｓ４０１の判定結果がＹｅｓの場合には、バックライト２２１の点灯確認処理を行う（Ｓ４０２）。具体的には、表示異常検出部２２８が、バックライト用基準データ保存部２２３に記憶されている、バックライト２２１の正常駆動時の電流値の基準範囲と、バックライト電流検出部２２６が検出した、バックライト２２１の駆動時の電流値とを比較する。そして、バックライト電流検出部２２６が検出した電流値が、バックライト２２１の正常駆動時の電流値の基準範囲内に含まれるか否かを判定する（Ｓ４０３）。ここで、その判定結果がＮｏの場合には、処理がＳ４０７へ進む。
【００８３】
一方、Ｓ４０３の判定結果がＹｅｓの場合には、次に、モニター部２２０に入力される映像信号が、表示パネル２２２において黒画面以外になるような映像信号であるか否かを判定する（Ｓ４０４）。ここで、その判定結果がＮｏの場合には、処理がＳ４０１に戻る。
【００８４】
一方、Ｓ４０４の判定結果がＹｅｓの場合には、表示パネル２２２の駆動確認処理を行う（Ｓ４０５）。具体的には、表示異常検出部２２８が、表示パネル用基準データ保存部２２４に記憶されている、表示パネル２２２の正常駆動時の電流値の基準範囲と、表示パネル電流検出部２２７が検出した、表示パネル２２２の駆動時の電流値とを比較する。そして、表示パネル電流検出部２２７が検出した電流値が、表示パネル２２２の正常駆動時の電流値の基準範囲内に含まれるか否かを判定する（Ｓ４０６）。ここで、その判定結果がＹｅｓの場合には、処理がＳ４０１に戻る。
【００８５】
一方、Ｓ４０６の判定結果がＮｏの場合、又は、Ｓ４０３の判定結果がＮｏの場合には、表示異常検出部２２８が電流値の異常を検出してモニター部異常発生通知処理を行う（Ｓ４０７）。具体的には、Ｓ４０３の判定結果がＮｏの場合には、表示異常検出部２２８が、バックライト２２１の駆動時の電流値が異常であることを通知する情報を含む表示異常検出信号を受像機監視装置１３０へ送信する。又は、Ｓ４０６の判定結果がＮｏの場合には、表示異常検出部２２８が、表示パネル２２２の駆動時の電流値が異常であることを通知する情報を含む表示異常検出信号を受像機監視装置１３０へ送信する。これにより、その表示異常検出信号を受信した受像機監視装置１３０の表示異常通知部１３３ｂでは、受像機２００の表示異常が、例えば表示又は音声等により、システム管理者等に通知されるようになる。なお、Ｓ４０３の判定結果がＮｏになる場合は、例えば、バックライト２２１の故障によりバックライト２２１が不点灯になった場合が考えられる。また、Ｓ４０６の判定結果がＮｏになる場合は、例えば、表示パネル２２２の故障により表示パネル２２２が不作動になった場合が考えられる。
【００８６】
そして、Ｓ４０７が終了すると、本動作が終了する。
なお、図１５に示したフローチャートの動作は、例えば、受像機２００の電源が投入されたときや、受像機２００の電源が投入された後は所定時間毎などに、行われる。
【００８７】
また、図１５に示したフローチャートの動作において、バックライト用基準データ保存部２２３に記憶されるデータは、例えば、バックライト２２１の正常駆動時の電流値の基準範囲を１００〜３００ｍＡとするデータとすることができる。また、表示パネル用基準データ保存部２２４に記憶されるデータは、例えば、表示パネル２２２の正常駆動時の電流値の基準範囲を２０〜５０ｍＡとするデータとすることができる。
【００８８】
図１６は、受像機２００からの表示異常検出信号を受信した表示異常通知部１３３ｂの図示しない表示部に表示される、受像機２００の表示異常をシステム管理者等に通知する表示画面の一例を示す図である。なお、ここでも、上述の図１２の例と同様に、６０個の受像機２００の例を示している。
【００８９】
図１６に示した例では、図１２に示した例と同様に、各受像機２００の表示の状態が正常あるか又は異常であるかが一覧表示される。図１６に示した例では、＃０１５と＃０４４の受像機２００が異常であり、その他の受像機２００が正常であることを示している。なお、図１６に示した例でも、異常な受像機２００と正常な受像機２００とを色分けすることにより両者を区別可能に表示しているが、例えば、他の方法により両者を区別可能に表示することも可能である。また、異常な受像機２００において、異常の内容が、バックライト２２１の異常なのか、又は、表示パネル２２２の異常なのかも併せて表示することも可能である。
【００９０】
以上、本実施例に係る受像機監視システムによれば、バックライト２２１の不点灯や表示パネル２２２の不作動等に起因する表示異常や、来場者が所有する携帯電話器やＰＤＡ等の機器が備えるリモコン機能の作動等に起因する設定チャンネル異常といった受像機２００の異常を自動で検出しシステム管理者等に通知することができる。従って、保守員等が各受像機２００へ直接出向いて受像機２００の状態を確認する必要が無くなり、保守員等の作業負担を軽減することができる。
【００９１】
また、受像機２００の表示異常が早い段階でシステム管理者等に通知されるようになるので、来場者からの通報がある前に、モニター部２２０の交換や来場者への告知など速やかな対応を取ることができ、来場者に不快感を与えないようにすることができる。
【００９２】
また、受像機２００の設定チャンネル異常の場合には、受像機２００に設定されているチャンネルを自動で正常なチャンネルに変更することができる。従って、保守員等が各受像機２００へ直接出向いて受像機２００のチャンネルを変更する必要が無くなり、保守員等の作業負担を一層軽減することができる。
【００９３】
また、運用情報が変更されたときには、速やかに、各受像機２００のチャンネルを、変更後の運用情報に応じたチャンネルに変更することができるので、運用スケジュールの急な変更にも速やかに対応することができ、来場者へのサービス向上を図ることができる。
【００９４】
以上、実施例を説明したが、本発明は、上述した実施例に限定されることなく、本発明の要旨を逸脱しない範囲内で種々の改良・変更が可能である。
【符号の説明】
【００９５】
１００      映像送出装置
１１０      映像信号生成部
１２０      信号処理部
１３０      受像機監視装置
１３１      チャンネル決定部
１３１ａ    運用情報受信部
１３１ｂ    チャンネルパターン情報抽出部
１３１ｃ    チャンネルパターン表データ保存部
１３１ｄ    チャンネルパターン表選択部
１３２      チャンネル異常検出処理部
１３２ａ    チャンネル問い合わせ部
１３２ｂ    決定チャンネルデータ保存部
１３２ｃ    設定チャンネルデータ保存部
１３２ｄ    チャンネル異常検出部
１３２ｅ    チャンネル変更指示部
１３３      受像機異常通知部
１３３ａ    設定チャンネル異常通知部
１３３ｂ    表示異常通知部
１３４      信号入出力部
１３５      制御部
１４０      ネットワーク機器
２００      受像機
２１０      チューナー部
２１１      設定チャンネルデータ保存部
２１２      チューナー機能部
２１２ａ    チャンネル設定部
２１３      制御部
２２０      モニター部
２２１      バックライト
２２２      表示パネル
２２３      バックライト用基準データ保存部
２２４      表示パネル用基準データ保存部
２２５      駆動回路
２２６      バックライト電流検出部
２２７      表示パネル電流検出部
２２８      表示異常検出部
２２９      制御部
３００      信号処理部
４００      ネットワーク機器
５００      トータリゼータホスト
６００      映像信号配線網
７００      制御信号配線網
【図１】
0005560224.tif 000002
【図２】
0005560224.tif 000003
【図３】
0005560224.tif 000004
【図６】
0005560224.tif 000005
【図７】
0005560224.tif 000006
【図８】
0005560224.tif 000007
【図９】
0005560224.tif 000008
【図１０】
0005560224.tif 000009
【図１１】
0005560224.tif 000010
【図１３】
0005560224.tif 000011
【図１４】
0005560224.tif 000012
【図１５】
0005560224.tif 000013
【図４】
0005560224.tif 000014
【図５】
0005560224.tif 000015
【図１２】
0005560224.tif 000016
【図１６】
0005560224.tif 000017